(57)【要約】【課題】建物に対してふかし壁を形成するにあたり、施工性良くふかし壁を形成することができる建物外壁のふかし壁構造を提供する。【解決手段】建物の軸組み構造２に支持フレーム１を、この支持フレーム１を構成する部材に一体に設けた連結金具６にて、前記軸組み材よりも建物外方に突出するように取着し、前記支持フレーム１の外面に、ふかし壁３を構成する外壁材４を添設する。これにより、建物の軸組み構造２に対して支持フレーム１を取着する際、連結金具６の位置合わせや、軸組み構造２と支持フレーム１との位置合わせ等の施工時の手間を削減すると共に取り付け作業が容易となり、ふかし壁構造の施工性を向上することができる。【選択図】図１
2006152713.tif 000002
【特許請求の範囲】
【請求項１】
建物の軸組み構造に支持フレームを、この支持フレームを構成する部材に一体に設けた連結金具にて、前記軸組み材よりも建物外方に突出するように取着し、前記支持フレームの外面に、ふかし壁を構成する外壁材を添設することを特徴とする建物外壁のふかし壁構造。
【請求項２】
上記連結金具が一体に設けられた部材が、上記軸組み構造を構成する軸組み材の外面に沿って配置され、前記連結金具は前記部材よりも建物の内方側に突出して前記軸組み材の側面に沿って配置され、前記側面において前記軸組み材に固着されていることを特徴とする建物外壁のふかし壁構造。
【発明の詳細な説明】
【技術分野】
【０００１】
本発明は、建物外壁のふかし壁構造に関するものである。
【背景技術】
【０００２】
従来、建物の装飾や建物内部のスペース確保等の目的のために、建物外面から外方に突出する、いわゆるふかし壁を設けることが行われている（特許文献１，２参照）。
【０００３】
このようなふかし壁は、例えば建物の軸組み構造に対して、ふかし壁を支持するための支持フレームを連結金具等を介して取着し、この支持フレームに対して、ふかし壁を構成する外壁材を添設することで施工することができる。
【特許文献１】特開２００４−２２５４１０号公報
【特許文献２】特開２００２−３６４１９０号公報
【発明の開示】
【発明が解決しようとする課題】
【０００４】
しかし、上記のようにしてふかし壁の施工を行う場合、連結金具を介して支持フレームの取り付けを行うと、その取り付け施行に手間がかかり、施工性が悪いという問題がある。
【０００５】
本発明は上記の点に鑑みてなされたものであり、建物に対してふかし壁を形成するにあたり、施工性良くふかし壁を形成することができる建物外壁のふかし壁構造に関するものである。
【課題を解決するための手段】
【０００６】
本発明に係る建物外壁のふかし壁構造は、建物の軸組み構造２に支持フレーム１を、この支持フレーム１を構成する部材に一体に設けた連結金具６にて、前記軸組み材よりも建物外方に突出するように取着し、前記支持フレーム１の外面に、ふかし壁３を構成する外壁材４を添設することを特徴とするものである。
【０００７】
これにより、建物の軸組み構造２に対して支持フレーム１を取着する際、連結金具６の位置合わせや、軸組み構造２と支持フレーム１との位置合わせ等の施工時の手間を削減すると共に取り付け作業が容易となり、ふかし壁構造の施工性を向上することができるものである。
【０００８】
上記建物外壁のふかし壁構造においては、上記連結金具６が一体に設けられた部材が、上記軸組み構造２を構成する軸組み材の外面に沿って配置され、前記連結金具６は前記部材よりも建物の内方側に突出して前記軸組み材の側面に沿って配置され、前記側面において前記軸組み材に固着されているようにすることが好ましい。
【０００９】
このようにすると、軸組み材に対する支持フレーム１の位置合わせが更に容易なものとなり、且つ、建物の軸組みに対する支持フレーム１の突出寸法を容易に規制することができ、このため、支持フレーム１及びふかし壁３を構成する外壁材４の施工性が更に向上するものである。
【発明の効果】
【００１０】
本発明によれば、建物外壁にふかし壁構造を形成するにあたっての、施工作業を向上し、建物の外壁に外方に突出するふかし壁を形成することができるものである。
【発明を実施するための最良の形態】
【００１１】
以下、本発明を実施するための最良の形態を説明する。
【００１２】
図１〜４は、本発明の実施の形態の一例を示す。
【００１３】
図１に示す建物の軸組み構造２では、ふかし壁３が形成される面において、一対の通し柱１０の上端に軒桁７が、下端に基礎１３上に敷設された土台９が架設され、通し柱１０の上下方向の中間部に胴差８が架設されている。また、一対の通し柱１０の間の二箇所には間柱１１が設けられている。通し柱１０と間柱１１との間には筋交い１２が設けられている。一方、間柱１１間、即ちふかし壁構造が形成される部位には筋交い１２等を設けず、軒桁７、間柱１１、胴差８にて構成される矩形状の枠構造、及び土台９、間柱１１、胴差８にて構成される矩形状の枠構造の内側には軸組み材が配置されないようになっている。
【００１４】
建物の軸組み構造２は上記の例に限られないが、ふかし壁３が設けられる部位にはその両側端にそれぞれ間柱１１を設けると共に、この間柱１１の間には柱や筋交い１２を設けず、ふかし壁３が設けられる部位に、ワンフロアごとに、軸組み材にて矩形枠状構造を形成すると共に、各矩形枠状構造の内側に軸組み材が配置されないような構造とする。
【００１５】
このような軸組み構造２に対して、ふかし壁３を配設するための支持フレーム１を取着する。支持フレーム１は次のような構造とすることができる。
【００１６】
縦支持部材１４は、軸組み材、図示の例では間柱１１に沿って配設されるものであり、図示の例では金属製で上下方向に長い形状を有する。
【００１７】
この縦支持部材１４には連結金具６が一体に設けられているものであり、本実施形態では縦支持部材１４は金属板材等にて断面ロ字状に形成され、且つその縦支持部材１４の一面と面一になるようにこの一面の端部から連結金具６が延出されている。
【００１８】
縦支持部材１４は金属材等により、上下方向に長く且つ断面ロ字状に形成されている。この縦支持部材１４は間柱１１の建物外方側の面に沿って、上記矩形枠構造の内側（以下、単に内側という）寄りに配設され、その上端は軒桁７に、下端は土台９に当接するようになっている。そして、軒桁７との当接部位及び土台９との当接部位を除き、縦支持部材１４にはその内側の側面の建物側の端縁部から建物側に向けて、連結金具６が延出されている。
【００１９】
連結金具６は間柱１１の内側の側面に沿って、必要に応じてスペーサ２３を介して配設され、ビスや釘等の適宜の固着具２２にて前記間柱１１の内側の側面に固着される。これにより縦支持部材１４が間柱１１に取着されている（図２〜４参照）。
【００２０】
また、図示の例のように軒桁７と土台９との間に胴差８が設けられている場合には、この胴差８が設けられている部位にも連結金具６は設けられないようにする。このとき、例えば縦支持部材１４としてその上下寸法がワンフロアの高さに対応するものを用い、同一形状の縦支持部材１４を上下に連結して、一方を軒桁７と胴差８との間、他方を胴差８と土台９との間に配設するようにしても良く、また胴差８が複数設けられる場合にはそれに応じて更に縦支持部材１４を連結し、二つの胴差８の間にも縦支持部材１４を配設するようにしても良い。このように規格化された寸法を有する縦支持部材１４を適宜上下に連結することで、複数階建ての建物におけるふかし壁構造の形成にも対応できる。
【００２１】
また、縦支持部材１４を上下に分割せずに、軒桁７から土台９までの高さに合致した複数フロア分の高さ寸法を有する縦支持部材１４を用い、この縦支持部材１４に連結金具６を一体に設けるようにしても良い。このとき、例えば縦支持部材１４は、その上端が軒桁７に、下端が土台９に当接するようにし、且つその上下端の間において胴差８と当接するようにする。そして、軒桁７との当接部位、土台９との当接部位及び胴差８との当接部位を除き、縦支持部材１４の内側の側面の建物側の端縁部から、建物側に向けて、連結金具６が延出されるようにする。
【００２２】
また、軒桁７、胴差８、土台９には、上記縦支持部材１４の間に、それぞれ横支持部材１５が取着されている。横支持部材１５は金属材等にて横方向に長く且つ断面ロ字状に形成され、前記軸組み材の建物外方側の面に沿って配設され、その両端は上記各縦支持部材１４に達するようになっている。これら横支持部材１５は、各軸組み材の内側寄りに配設され、横支持部材１５にはその内側の側面の建物側の端縁部から建物側に向けて、連結金具６が延出されている。
【００２３】
連結金具６は軸組み材の内側の側面に沿って、必要に応じてスペーサ２３を介して配設され、ビスや釘等の適宜の固着具２２にて前記軸組み材の内側の側面に固着される（図２〜４参照）。これにより横支持部材１５が各軸組み材に取着されている。
【００２４】
このとき軒桁７においては、横支持部材１５は軒桁７の下方寄りに配設されると共に連結金具６は軒桁７の下面に沿って配設され（図２参照）、土台９においては、横支持部材１５は土台９の上側寄りに配設されると共に連結金具６は土台９の上面に沿って配設されている（図４参照）。また胴差８においては、横支持部材１５は胴差８の上側寄りと下側寄りとにそれぞれ配設され、上側寄りの横支持部材１５では連結金具６は胴差８の上面に沿って配設され、下側寄りの横支持部材１５では連結金具６は胴差８の下面に沿って配設される（図３参照）。
【００２５】
このとき、上記の縦支持部材１４と横支持部材１５は、横支持部材１５の建物外方への突出寸法よりも、縦支持部材１４の建物外方への突出寸法が大きくなるようにする。
【００２６】
また、二つの縦支持部材１４に挟まれた内側には、内側部材１６が配設される。図示の例では、内側部材１６は、複数の棒材の組み合わせにより構成されている。各棒材は、例えば金属材にて断面ロ字状に形成されており、縦方向の棒材（縦棒材１７）と横方向の棒材（横棒材１８）とを取付金具を介して連結するなどして組み合わせて構成されている。
【００２７】
図示の例では、内側部材１６は上下方向に長い複数の棒材（縦棒材１７）を平行並列に配列して構成されており、また、両側端に配置されている二本の各縦棒材１７の間には、二本の横方向の棒材（横棒材１８）が架設されている。内側の縦棒材１７は、二本の横棒材１８に挟まれた領域で分割された形状になっており、上側の縦棒材１７ａの下端が上側の横棒材１８に取付金具を介するなどして連結され、下側の縦棒材１７ｂの上端が下側の横棒材１８に金具を介するなどして連結される。これにより、内側部材１６の二つの横棒材１８の間には、窓の開口を確保するための空間が設けられる。
【００２８】
図示の例では内側部材１６として、その上下寸法がワンフロアの高さに対応するものが用いられ、同一形状の内側部材１６を、上方側の内側部材１６の各縦棒材１７の下端と下方側の内側部材１６の各縦棒材１７の上端とを連結して、上側の一方の内側部材１６を軒桁７と胴差８との間、下側の他方の内側部材１６を胴差８と土台９との間に配設している。また、内側部材１６として、その上下寸法が複数フロアの高さに対応するように一体に形成されたものを用いても良く、この場合は上記のように複数の内側部材１６を上下に連結する必要はない。
【００２９】
図示の上側の内側部材１６では、各縦棒材１７の上端部を軒桁７に設けた横支持部材１５の外側の面に当接させて配置し、この状態で断面Ｌ字状の取付金具２１を縦棒材１７の側面から横支持部材１５の外側の面に亘って配置し、この取付金具２１をビス等の固着具２２にて各部材に固着することで、縦棒材１７が横支持部材１５に取着されている（図２参照）。またこの内側部材１６の各縦棒材１７の下端部を胴差８の上側寄りに設けた横支持部材１５の外側の面に当接させて配置し、この状態で断面Ｌ字状の取付金具２１にて、前記軒桁７に設けた横支持部材１５における場合と同様にして、縦棒材１７が横支持部材１５に取着されている（図３参照）。
【００３０】
一方、図示の下側の内側部材１６では、各縦棒材１７の上端部を胴差８の下側寄りに設けた横支持部材１５の外側の面に当接させて配置し、この状態で断面Ｌ字状の取付金具２１にて、上記軒桁７に設けた横支持部材１５における場合と同様にして、縦棒材１７が横支持部材１５に取着されている（図３参照）。またこの内側部材１６の下端部は、土台９に設けた横支持部材１５の外面に沿って配設されたベースフレーム１９に取着されている（図４参照）。このベースフレーム１９は、金属材等にて、横方向に長く、且つ断面ロ字状に形成されている。このベースフレーム１９はその両端がそれぞれ縦支持部材１４の内側の側面に当接されてこの縦支持部材１４にビス等の固着具２２にて固着されている。そして、前記内側部材１６は、その縦棒材１７の下端がベースフレーム１９の上面に当接され、この状態で断面Ｌ字状の取付金具２１を縦棒材１７の側面からベースフレーム１９の上面に亘って配置し、この取付金具２１をビス等の固着具２２にて各部材に固着することで、縦棒材１７がベースフレーム１９に取着されている。
【００３１】
また、各縦支持部材１４の内側にサイドフレーム２０が配設されている。サイドフレーム２０は金属材等にて、上下方向に長く、且つ断面ロ字状に形成されている。このサイドフレーム２０は各縦支持部材１４の内側の側面に沿って配置され、その上端部の建物内方側の面が軒桁７に設けられた横支持部材１５の建物外方側の面に当接し、この状態で断面Ｌ字状の取付金具２１を横支持部材１５の建物外方側の面からサイドフレーム２０の内側の側面に亘って配置し、この取付金具２１をビス等の固着具２２にて各部材に固着することで、サイドフレーム２０が横支持部材１５に取着されている。またサイドフレーム２０の下端はベースフレーム１９の上面に当接し、この状態で断面Ｌ字状の取付金具２１をベースフレーム１９の上面からサイドフレーム２０の内側の側面に亘って配置し、この取付金具２１をビス等の固着具２２にて各部材に固着することで、サイドフレーム２０がベースフレーム１９に取着されている。
【００３２】
上記構造において、縦支持部材１４、内側部材１６、ベースフレーム１９及びサイドフレーム２０は、その建物外方側の面が面一となるように構成されている。
【００３３】
上記に示した支持フレーム１の構造は一例であって、支持フレーム１としては適宜の構造のものを用いることができる。また、上記の構造の支持フレーム１において、この支持フレーム１を構成する二又はそれ以上の複数の部材を適宜一体に成形することもできる。例えば、連結金具６を一体に有する縦支持部材１４に更にサイドフレーム２０を一体に設けたり、連結金具６を一体に有する横支持部材１５のうち、土台９に沿って配設されるものについては、更にベースフレーム１９を一体に設けたりすることができる。このとき、例えばアルミニウムの押出成形により複数部材が一体となった部材を成形することができる。
【００３４】
上記のように構成される支持フレーム１は、軸組み構造２よりも建物の外方に突出して形成され、また支持フレーム１を構成する部材、図示の例では縦支持部材１４及び横支持部材１５にそれぞれ一体に形成された連結金具６を介して建物の軸組み構造２に取着されている。このため、支持フレーム１を軸組み構造２に取着する施工作業において、軸組み構造２と支持フレーム１との位置合わせや取り付け作業が容易となり、施工性が良いものである。
【００３５】
また、特に上記のように、連結金具６が一体に設けられた縦支持部材１４や横支持部材１５などの部材が、上記軸組み構造２を構成する軸組み材の外面に沿って配置されるようにし、且つこの部材に一体に設けられた連結金具６が前記の部材よりも建物の内方側に突出して前記軸組み材の側面に沿って配置され、この軸組み材の側面において軸組み材に固着されるようにすると、軸組み材に対する支持フレーム１の位置合わせが更に容易なものとなり、且つ、予め支持フレーム１を構成する部材の寸法を所定寸法となるように規制しておくことで、縦支持部材１４や横支持部材１５などの部材を、上記軸組み構造２を構成する軒桁７、間柱１１、胴差８、土台９等の軸組み材と当接する位置で固定した際に、建物の軸組みに対する支持フレーム１の突出寸法を所定の寸法となるように容易に規制することができ、このため、支持フレーム１及びふかし壁３を構成する外壁材４の施工性が更に向上するものである。
【００３６】
建物の外壁材４，５は、例えば窯業系サイディング材等で形成される。この外壁材４，５のうち、ふかし壁３を構成しない外壁材５は、上記の軸組み構造２の外面に添設して設けられるが、ふかし壁３を構成する外壁材４は、上記の支持フレーム１の外面に添設される。
【００３７】
図示の例では、ふかし壁３を構成する外壁材４として、平板状の平材４ａと、二つの片を断面Ｌ字状に連結した形状の出隅材４ｂとが設けられている。出隅材４ｂは、上記支持フレーム１の、縦支持部材１４及びサイドフレーム２０にて構成される側縁部に沿って配設され、このとき出隅材４ｂの二つの片のうちの一片が縦支持部材１４の外側面に、他の片が縦支持部材１４及びサイドフレーム２０の建物外方側の面に沿って添設される。そして、二つの出隅材４ｂに挟まれた領域に平材４ａを配設し、このとき平材４ａは、支持フレーム１のサイドフレーム２０、ベースフレーム１９及び内側部材１６の建物外方側の面に沿って配設される。
【００３８】
また、図示の例では、ふかし壁３を構成する平材４ａには、窓の形成位置に開口２４が設けられており、この開口２４は、上記支持フレーム１における二つの横棒材１８の間の空間に合致するように設けられる。
【００３９】
また、建物のふかし壁３が形成される面のうち、上記のふかし壁３の形成位置の両側の側方には、平材５ａが軸組み構造２に対して添設されている。また、建物の外面の他の部分においても、軸組み構造２に対して、その平坦部分に平材５ａが添設されると共に、出隅部分に出隅材５ｂが添設される。
【００４０】
このようなふかし壁構造は、建物の任意の位置に設けることで、建物内部の空間を広くとることができる。
【００４１】
また、建物の外壁材４，５として規格化された平材を用いる場合には、この規格化された平材の幅よりも大きい幅を有する面に平材を敷設する場合、平材の側端同士を継ぎ合わせる必要が生じて平材間の継ぎ目が生じて外観が悪化する場合がある。これに対して、上記のように建物の一面に上下方向全体に亘ってふかし壁３を設けるようにすると、ふかし壁３の幅を規格化された平材の幅と同一又はこれよりも小さくなるようにし、且つ、ふかし壁３が形成される面におけるふかし壁３の側方の部分の幅も同様に規格化された平材の幅と同一又はこれよりも小さくなるようにすることで、外壁材４，５同士の継ぎ合わせ部分は出隅材４ｂを介して平材４ａ，５ａが接続される構造となり、平材同士の継ぎ合わせをなくして外観の悪化を防ぐことができるものである。
【００４２】
また、建物に一面に、その同一面内において柄の異なる外壁材を設けることでこの建物の外観に変化を付与しようとする場合には、ふかし壁３を構成する外壁材４ａ，４ｂと、それ以外の外壁材５ａ，５ｂとして、それぞれ異なる柄のものを用いるようにすると、外壁における柄が変化する部分がふかし壁３とそれ以外の部分との接続部に一致することになり、柄の変化がある外壁を外観的に違和感なく構成することができるものである。
【図面の簡単な説明】
【００４３】
【図１】本発明の実施の形態の一例を示す分解斜視図である。
【図２】同上の実施の形態の一例を示す一部の斜視図である。
【図３】同上の実施の形態の一例を示す他の一部の斜視図である。
【図４】同上の実施の形態の一例を示す更に他の一部の斜視図である。
【符号の説明】
【００４４】
１  支持フレーム
２  軸組み構造
３  ふかし壁
４  外壁材
６  連結金具
【図１】
2006152713.tif 000003
【図２】
2006152713.tif 000004
【図３】
2006152713.tif 000005
【図４】
2006152713.tif 000006